(57)【要約】  本発明は、赤（Ｒ）、緑（Ｇ）、青（Ｂ）および黄（Ｙ）の４原色で表示を行う液晶表示装置に関する。  本発明による液晶表示装置（１００）は、赤サブ画素（Ｒ）、緑サブ画素（Ｇ）、青サブ画素（Ｂ）および黄サブ画素（Ｙ）を有する画素（Ｐ）を含む。  黄サブ画素（Ｙ）の色度は、赤サブ画素（Ｒ）、緑サブ画素（Ｇ）および青サブ画素（Ｂ）の色度を結んだ三角形の外側にある。  赤サブ画素（Ｒ）、緑サブ画素（Ｇ）、青サブ画素（Ｂ）および黄サブ画素（Ｙ）のそれぞれの開口面積ＳＲ、ＳＧ、ＳＢ、ＳＹ、ならびに、赤カラーフィルタ（ＣＲ）、緑カラーフィルタ（ＣＧ）、青カラーフィルタ（ＣＢ）および黄カラーフィルタ（ＣＹ）のそれぞれの透過率ＴＲ、ＴＧ、ＴＢ、ＴＹは、  ＴＹ＞［（ＳＲ＋ＳＧ＋ＳＢ＋ＳＹ）（ＴＲ＋ＴＧ＋ＴＢ）−３（ＳＲ×ＴＲ＋ＳＧ×ＴＧ＋ＳＢ×ＴＢ）］／３ＳＹの関係を満たす。  本発明によると、色再現範囲を拡大するとともにカラーフィルタ層の透過率の低下を抑制することができる。
2011040370.tif 000002
【特許請求の範囲】
【請求項１】
赤サブ画素、緑サブ画素、青サブ画素および黄サブ画素を有する画素を含む液晶表示装置であって、
バックライトと、
液晶パネルと
を備えており、
前記液晶パネルは、前記赤サブ画素に対応する赤カラーフィルタと、前記緑サブ画素に対応する緑カラーフィルタと、前記青サブ画素に対応する青カラーフィルタと、前記黄サブ画素に対応する黄カラーフィルタとを含むカラーフィルタ層を有しており、
前記黄サブ画素の色度は前記赤サブ画素、前記緑サブ画素および前記青サブ画素の色度を結んだ三角形の外側にあり、
前記赤サブ画素、前記緑サブ画素、前記青サブ画素および前記黄サブ画素のそれぞれの開口面積ＳR、ＳG、ＳB、ＳY、ならびに、前記赤カラーフィルタ、前記緑カラーフィルタ、前記青カラーフィルタおよび前記黄カラーフィルタのそれぞれの透過率ＴR、ＴG、ＴB、ＴYは、
ＴY    ＞    ［（ＳR＋ＳG＋ＳB＋ＳY）（ＴR＋ＴG＋ＴB）−３（ＳR×ＴR＋ＳG×ＴG＋ＳB×ＴB）］／３ＳY
の関係を満たす、液晶表示装置。
【請求項２】
前記赤サブ画素、前記緑サブ画素、前記青サブ画素および前記黄サブ画素のうちの少なくとも１つの開口面積は、他のサブ画素のうちの何れかのサブ画素の開口面積とは異なる、請求項１に記載の液晶表示装置。
【請求項３】
前記赤サブ画素の開口面積は、前記緑サブ画素および前記黄サブ画素の開口面積よりも大きく、
前記青サブ画素の開口面積は、前記緑サブ画素および前記黄サブ画素の開口面積よりも大きい、請求項１に記載の液晶表示装置。
【請求項４】
前記赤サブ画素、前記緑サブ画素、前記青サブ画素および前記黄サブ画素の開口面積は互いに略等しい、請求項１に記載の液晶表示装置。
【請求項５】
前記黄カラーフィルタの透過率は、前記赤カラーフィルタ、前記緑カラーフィルタおよび前記青カラーフィルタの透過率の相加平均よりも高い、請求項４に記載の液晶表示装置。
【発明の詳細な説明】
【技術分野】
【０００１】
本発明は液晶表示装置に関し、より詳細には、４原色で表示を行う液晶表示装置に関する。
【背景技術】
【０００２】
液晶表示装置は、軽量、薄型および低消費電力等の利点を有しており、携帯電話の表示部等の小型の表示装置としてだけでなく大型テレビジョンとしても利用されている。現在、広く利用されているカラー液晶表示装置では、１つの画素は、赤（Ｒ）、緑（Ｇ）、青（Ｂ）の光の三原色に対応するサブ画素から構成されており、典型的には、赤、緑および青の色の違いは、カラーフィルタによって実現されている。【０００３】
一般に、色再現範囲を拡大するために、カラーフィルタ内の顔料の濃度が増加される。しかしながら、顔料の濃度が増加すると、カラーフィルタ層の透過率が低下していまい、高輝度を実現できなくなる。【０００４】
近年、一般的な３原色の表示装置とは異なり、４原色以上の多原色を加法混色する表示装置が提案されている（例えば、特許文献１〜３参照）。このように４つ以上の原色を用いて表示を行う表示装置は多原色表示装置とも呼ばれる。多原色表示装置では、比較的簡単に色再現範囲を拡大させることができる。
【先行技術文献】
【特許文献】
【０００５】
【特許文献１】米国特許第７２６８７５７号明細書
【特許文献２】国際公開２００７／０３４７７０号
【特許文献３】国際公開２００７／１４８５１９号
【発明の概要】
【発明が解決しようとする課題】
【０００６】
しかしながら、多原色表示装置でも色再現範囲を単純に拡大させると、カラーフィルタ層の透過率が低下してしまい、高輝度を実現することができなくなる。【０００７】
本発明は、上記課題を鑑みてなされたものであり、その目的は、色再現範囲を拡大するとともにカラーフィルタ層の透過率の低下を抑制した液晶表示装置を提供することにある。
【課題を解決するための手段】
【０００８】
本発明による液晶表示装置は、赤サブ画素、緑サブ画素、青サブ画素および黄サブ画素を有する画素を含む液晶表示装置であって、バックライトと、液晶パネルとを備えており、前記液晶パネルは、前記赤サブ画素に対応する赤カラーフィルタと、前記緑サブ画素に対応する緑カラーフィルタと、前記青サブ画素に対応する青カラーフィルタと、前記黄サブ画素に対応する黄カラーフィルタとを含むカラーフィルタ層を有しており、前記黄サブ画素の色度は前記赤サブ画素、前記緑サブ画素および前記青サブ画素の色度を結んだ三角形の外側にあり、前記赤サブ画素、前記緑サブ画素、前記青サブ画素および前記黄サブ画素のそれぞれの開口面積ＳR、ＳG、ＳB、ＳY、ならびに、前記赤カラーフィルタ、前記緑カラーフィルタ、前記青カラーフィルタおよび前記黄カラーフィルタのそれぞれの透過率ＴR、ＴG、ＴB、ＴYは、ＴY＞［（ＳR＋ＳG＋ＳB＋ＳY）（ＴR＋ＴG＋ＴB）−３（ＳR×ＴR＋ＳG×ＴG＋ＳB×ＴB）］／３ＳYの関係を満たす。【０００９】
ある実施形態において、前記赤サブ画素、前記緑サブ画素、前記青サブ画素および前記黄サブ画素のうちの少なくとも１つの開口面積は、他のサブ画素のうちの何れかのサブ画素の開口面積とは異なる。【００１０】
ある実施形態において、前記赤サブ画素の開口面積は、前記緑サブ画素および前記黄サブ画素の開口面積よりも大きく、前記青サブ画素の開口面積は、前記緑サブ画素および前記黄サブ画素の開口面積よりも大きい。【００１１】
ある実施形態において、前記赤サブ画素、前記緑サブ画素、前記青サブ画素および前記黄サブ画素の開口面積は互いに略等しい。【００１２】
ある実施形態において、前記黄カラーフィルタの透過率は、前記赤カラーフィルタ、前記緑カラーフィルタおよび前記青カラーフィルタの透過率の相加平均よりも高い。
【発明の効果】
【００１３】
本発明によれば、色再現範囲を拡大するとともにカラーフィルタ層の透過率の低下を抑制した液晶表示装置を提供することができる。
【図面の簡単な説明】
【００１４】
【図１】（ａ）は本発明による液晶表示装置の実施形態の模式図であり、（ｂ）は（ａ）の液晶表示装置における液晶パネルの模式図である。
【図２】図１に示した液晶表示装置における各カラーフィルタの透過スペクトルを示すグラフである。
【図３】図１に示した液晶表示装置における各サブ画素の色度を示すｘｙ色度図である。
【図４】（ａ）は比較例の液晶表示装置の模式図であり、（ｂ）は（ａ）の液晶表示装置における液晶パネルの模式図である。
【図５】（ａ）は図１に示した液晶表示装置と比較例の液晶表示装置の色再現範囲を比較した色度図であり、（ｂ）は図１に示した液晶表示装置と比較例の液晶表示装置におけるＮＴＳＣ比および透過率を示したグラフである。
【図６】本発明による液晶表示装置の別の実施形態における液晶パネルの模式図である。
【図７】（ａ）は本発明による液晶表示装置のさらに別の実施形態の模式図であり、（ｂ）は上記液晶表示装置における液晶パネルの模式図である。
【図８】図７に示した液晶表示装置におけるバックライトの出射スペクトルを示すグラフである。
【図９】（ａ）は図７に示した液晶表示装置と比較例の液晶表示装置の色再現範囲を比較したｘｙ色度図であり、（ｂ）は（ａ）の一部拡大図である。
【図１０】本発明による液晶表示装置のさらに別の実施形態における液晶パネルの模式図である。
【図１１】（ａ）、（ｂ）および（ｃ）はそれぞれ図１および図７に示した液晶表示装置の液晶パネルにおける液晶分子の配向方位を示す模式図である。
【発明を実施するための形態】
【００１５】
以下、図面を参照して、本発明による液晶表示装置の実施形態を説明する。ただし、本発明は、以下の実施形態に限定されるものではない。
【００１６】
図１（ａ）に、本実施形態の液晶表示装置１００の模式図を示す。液晶表示装置１００は、液晶パネル２００と、バックライト３００とを備えている。液晶パネル２００は、背面基板２２０と、前面基板２４０と、背面基板２２０と前面基板２４０との間に設けられた液晶層２６０と、カラーフィルタ層２８０を有している。ここでは、背面基板２２０は、絶縁基板２２２と、画素電極２２４と、第１配向膜２２６とを有している。また、前面基板２４０は、絶縁基板２４２と、対向電極２４４と、第２配向膜２４６とを有している。また、ここでは、カラーフィルタ層２８０は前面基板２４０の絶縁基板２４２と対向電極２４４との間に設けられている。
【００１７】
背面基板２２０および前面基板２４０には図示しない偏光板が設けられており、偏光板の透過軸はクロスニコルの関係を有している。例えば、背面基板２２０には図示しない配線、絶縁層等が設けられている。液晶層２６０の厚さはほぼ一定である。
【００１８】
図１（ｂ）に、液晶パネル２００の模式図を示す。液晶パネル２００には、複数の行および複数の列のマトリクス状に配列にされた複数の画素Ｐが設けられている。各画素Ｐは画素電極１２４によって規定される。各画素Ｐは、赤サブ画素Ｒ、緑サブ画素Ｇ、青サブ画素Ｂおよび黄サブ画素Ｙを有している。赤サブ画素Ｒ、緑サブ画素Ｇ、青サブ画素Ｂおよび黄サブ画素Ｙは行方向（ｘ方向）に配列されており、赤サブ画素Ｒ、緑サブ画素Ｇ、青サブ画素Ｂおよび黄サブ画素Ｙの輝度は独立に制御可能である。このように、液晶パネル２００は４つの原色、すなわち、赤、緑、青および黄で表示を行う。
【００１９】
液晶パネル２００は透過型であり、液晶パネル２００において各サブ画素Ｒ、Ｇ、Ｂ、Ｙは透過領域を有している。バックライト３００から出射された光は液晶パネル２００において変調され、所望の画像が表示される。なお、ここでは、赤サブ画素Ｒ、緑サブ画素Ｇ、青サブ画素Ｂおよび黄サブ画素Ｙの透過領域（開口面積）は互いにほぼ等しい。
【００２０】
カラーフィルタ層２８０は、赤サブ画素Ｒに対応する赤カラーフィルタＣＲと、緑サブ画素Ｇに対応する緑カラーフィルタＣＧと、青サブ画素Ｂに対応する青カラーフィルタＣＢと、黄サブ画素Ｙに対応する黄カラーフィルタＣＹとを有している。カラーフィルタ層２８０は、例えば、カラーフォトレジスト膜に対してフォトレジスト処理を行うことによって作製される。
【００２１】
また、液晶パネル２００には、３原色の表示装置に対応した入力映像信号の変換を行う多原色変換部（図示せず）が設けられてもよい。多原色変換部は、入力映像信号の階調レベルを液晶パネル２００に対応する階調レベルに変換する。多原色変換部は、例えば、入力映像信号に示された３原色の階調レベルを赤、緑、青および黄サブ画素の階調レベルに変換するためのルックアップテーブルを有していてもよい。
【００２２】
バックライト３００は、青発光、赤・緑蛍光タイプのＬＥＤを含んでいる。出射スペクトルにおいて、青に対応する放射強度のピークは緑および赤に対応する放射強度よりも高く、緑に対応する放射強度のピークは赤に対応する放射強度よりも高い。
【００２３】
図２に、赤、緑、青および黄カラーフィルタＣＲ、ＣＧ、ＣＢ、ＣＹの透過スペクトルを示す。図２では、赤、緑、青および黄カラーフィルタＣＲ、ＣＧ、ＣＢ、ＣＹの透過スペクトルをそれぞれＣＲ、ＣＧ、ＣＢ、ＣＹと示している。青カラーフィルタＣＢの透過スペクトルは波長４５０ｎｍ付近でピークを示す。緑カラーフィルタＣＧの透過スペクトルは波長５３０ｎｍ付近でピークを示す。また、黄カラーフィルタＣＹは波長５５０ｎｍ以上７００ｎｍ以下において９０％以上の透過率を示し、赤カラーフィルタＣＲは波長６１０ｎｍ以上７００ｎｍ以下において９０％以上の透過率を示す。このような透過スペクトルは分光光度計を用いて測定される。
【００２４】
図３に、液晶表示装置１００における各サブ画素の色度を表したｘｙ色度図を示す。図３において、Ｒ、Ｇ、ＢおよびＹは、それぞれ、対応するサブ画素の色度を示す。例えば、Ｒは、赤サブ画素が最高輝度を呈し、他のサブ画素が最低輝度を呈する場合の液晶表示装置１００の色度である。液晶表示装置１００の色再現範囲はＲ、Ｇ、ＢおよびＹを頂点とする四角形で表される。
【００２５】
本実施形態の液晶表示装置１００では、黄サブ画素Ｙの色度ｘ、ｙは、赤サブ画素Ｒ、緑サブ画素Ｇおよび青サブ画素Ｂの色度ｘ、ｙを囲んだ三角形よりも外側にある。このため、液晶表示装置１００は広い色再現範囲で表示を行うことができる。
【００２６】
また、本実施形態の液晶表示装置１００では、赤サブ画素Ｒ、緑サブ画素Ｇ、青サブ画素Ｂおよび黄サブ画素Ｙのそれぞれの開口面積ＳR、ＳG、ＳB、ＳY、ならびに、赤カラーフィルタＣＲ、緑カラーフィルタＣＧ、青カラーフィルタＣＢおよび黄カラーフィルタＣＹのそれぞれの透過率ＴR、ＴG、ＴB、ＴYは、
ＴY    ＞    ［（ＳR＋ＳG＋ＳB＋ＳY）（ＴR＋ＴG＋ＴB）−３（ＳR×ＴR＋ＳG×ＴG＋ＳB×ＴB）］／３ＳY  ・・・（Ａ）
の関係を満たす。なお、以下の説明において、特に言及しない場合、透過率は、入射光強度に対する出射光強度の割合を意味する。透過率ＴR、ＴG、ＴB、ＴYはカラーフィルタＣＲ、ＣＧ、ＣＢ、ＣＹ自体だけでなく、カラーフィルタ層２８０に入射する光のスペクトル等に応じて変化する。厳密には、仮に、赤、緑、青および黄カラーフィルタＣＲ、ＣＧ、ＣＢ、ＣＹの透過スペクトルが等しくても、バックライト３００の出射スペクトルや、液晶パネル２００内に光が入射する入射面とカラーフィルタ層２８０との間に位置する部材の光透過率の波長依存性等に応じて、透過率ＴR、ＴG、ＴB、ＴYは変化する。なお、一般に、液晶パネル２００内の赤、緑、青および黄カラーフィルタＣＲ、ＣＧ、ＣＢ、ＣＹ以外の部材の透過率は可視光領域においてほとんど波長依存性を示さないため、赤、緑、青および黄カラーフィルタＣＲ、ＣＧ、ＣＢ、ＣＹの透過率ＴR、ＴG、ＴB、ＴYは赤、緑、青および黄カラーフィルタＣＲ、ＣＧ、ＣＢ、ＣＹの透過スペクトルおよびバックライト３００の出射スペクトルに応じて変化することになる。
【００２７】
詳細は後述するが、カラーフィルタ層２８０内の赤、緑、青および黄カラーフィルタＣＲ、ＣＧ、ＣＢ、ＣＹの透過率ＴR、ＴG、ＴB、ＴYが上記関係を有することにより、カラーフィルタ層２８０の透過率を比較的高くすることができる。このため、消費電力を増大させてバックライト３００の出射光の強度を増大させなくても高輝度で表示を行うことができる。
【００２８】
以下の説明において、カラーフィルタ層２８０の１画素の（平均）透過率をＴαと示し、１画素の面積をＳαと示す。１画素Ｐに単位面積当たり光度Ｌの光が入力する場合、カラーフィルタ層２８０に入射する入射光強度ＩINはＬ×Ｓαと表され、出射光強度ＩOUTは（Ｌ×ＳR×ＴR＋Ｌ×ＳG×ＴG＋Ｌ×ＳB×ＴB＋Ｌ×ＳY×ＴY）と表される。このため、カラーフィルタ層２８０の平均透過率Ｔα（＝ＩOUT／ＩIN）は（ＳR×ＴR＋ＳG×ＴG＋ＳB×ＴB＋ＳY×ＴY）／Ｓαと表される。
【００２９】
ここで、比較例の液晶表示装置と比較して本実施形態の液晶表示装置１００の利点を説明する。まず、図４を参照して比較例の液晶表示装置を説明する。
【００３０】
図４（ａ）に、比較例の液晶表示装置５００の模式図を示す。液晶表示装置５００は、赤、緑および青の３原色で表示を行う。液晶表示装置５００は、各画素Ｐに黄サブ画素Ｙが設けられていない点を除いて、上述した液晶表示装置１００と同様の構成を有している。
【００３１】
液晶表示装置５００は、液晶パネル６００およびバックライト７００を備えており、液晶パネル６００は、背面基板６２０と、前面基板６４０と、背面基板６２０と前面基板６４０との間に設けられた液晶層６６０と、カラーフィルタ層６８０とを有している。ここでは、カラーフィルタ層６８０は前面基板６４０の絶縁基板６４２と対向電極６４４との間に設けられている。なお、液晶パネル６００におけるカラーフィルタ層６８０の透過率は液晶パネル２００におけるカラーフィルタ層２８０の透過率とは異なり、バックライト７００の出射スペクトルはバックライト３００の出射スペクトルと異なる。
【００３２】
図４（ｂ）に、液晶パネル６００の模式的な平面図を示す。液晶パネル６００において各画素Ｐは赤サブ画素ｒ、緑サブ画素ｇおよび青サブ画素ｂを有している。液晶表示装置５００において、１画素内の赤サブ画素ｒ、緑サブ画素ｇおよび青サブ画素ｂの開口面積は互いに略等しい。
【００３３】
液晶表示装置５００においてカラーフィルタ層６８０には、赤カラーフィルタＣｒ、緑カラーフィルタＣｇおよび青カラーフィルタＣｂが設けられている。カラーフィルタ層６８０における赤カラーフィルタＣｒ、緑カラーフィルタＣｇおよび青カラーフィルタＣｂは液晶表示装置１００のカラーフィルタ層２８０における赤カラーフィルタＣＲ、緑カラーフィルタＣＧおよび青カラーフィルタＣＢと同様の材料から形成されている。
【００３４】
ここで、本実施形態の液晶表示装置１００と液晶表示装置５００の色再現範囲を比較する。図５（ａ）に、本実施形態の液晶表示装置１００と液晶表示装置５００の色再現範囲を比較した色度図を示す。図５において、Ｒ、Ｇ、ＢおよびＹは、それぞれ、液晶表示装置１００における赤、緑、青および黄サブ画素Ｒ、Ｇ、Ｂ、Ｙの色度を示し、ｒ、ｇおよびｂは、それぞれ、液晶表示装置５００における赤、緑および青サブ画素ｒ、ｇ、ｂの色度を示す。
【００３５】
液晶表示装置１００における赤、緑および青サブ画素Ｒ、Ｇ、Ｂの色度は液晶表示装置５００における赤、緑および青サブ画素ｒ、ｇ、ｂの色度とそれぞれ略等しいが、液晶表示装置１００における黄サブ画素Ｙの色度は赤、緑および青サブ画素Ｒ、Ｇ、Ｂの色度を結ぶ三角形の外側に位置している。このため、液晶表示装置１００では、液晶表示装置５００よりも広い色再現範囲で表示を行うことができる。なお、ここでは、ｘｙ色度図を参照して説明したが、ｕ’ｖ’色度図においても、黄サブ画素Ｙの色度は赤、緑および青サブ画素Ｒ、Ｇ、Ｂの色度を結ぶ三角形の外側に位置する。
【００３６】
次に、本実施形態の液晶表示装置１００におけるカラーフィルタ層２８０と液晶表示装置５００におけるカラーフィルタ層６８０の透過率を比較する。
【００３７】
以下の説明において、カラーフィルタ層６８０内の各赤、緑および青カラーフィルタＣｒ、Ｃｇ、Ｃｂの透過率をそれぞれＴr、Ｔg、Ｔbと示し、カラーフィルタ層６８０の１画素の（平均）透過率をＴβと示す。また、液晶表示装置５００における赤サブ画素ｒ、緑サブ画素ｇおよび青サブ画素ｂの開口面積をそれぞれＳr、Ｓg、Ｓbと示し、１画素の面積をＳβと示す。この場合、カラーフィルタ層６８０の平均透過率Ｔβは（Ｓr×Ｔr＋Ｓg×Ｔg＋Ｓb×Ｔb）／Ｓβと表される。
【００３８】
上述したように、カラーフィルタ層６８０の赤、緑および青カラーフィルタＣｒ、Ｃｇ、Ｃｂはカラーフィルタ層２８０の赤、緑および青カラーフィルタＣＲ、ＣＧ、ＣＢと同様の材料で形成されている。このため、赤カラーフィルタＣｒ、緑カラーフィルタＣｇおよび青カラーフィルタＣｂの透過スペクトルは図２に示した赤カラーフィルタＣＲ、緑カラーフィルタＣＧおよび青カラーフィルタＣＢと同様の透過スペクトルを示す。なお、厳密には、バックライト７００の出射スペクトルはバックライト３００の出射スペクトルとは異なるが、バックライト７００の出射スペクトルとバックライト３００の出射スペクトルとの違いはごくわずかであり、バックライト７００の出射スペクトルはバックライト３００の出射スペクトルと略等しいといえる。このため、液晶表示装置５００における赤、緑および青カラーフィルタＣｒ、Ｃｇ、Ｃｂの透過率Ｔr、Ｔg、Ｔbは液晶表示装置１００における赤、緑および青カラーフィルタＣＲ、ＣＧ、ＣＢの透過率ＴR、ＴG、ＴBと略等しい。したがって、ＴR＝Ｔr、ＴG＝Ｔg、ＴB＝Ｔbと表される。
【００３９】
なお、ここでは、説明が過度に複雑になることを防ぐために、液晶表示装置５００における１画素の面積Ｓβは液晶表示装置１００における１画素の面積Ｓαと等しいとする。例えば、液晶表示装置５００の画面サイズおよび画素数（解像度）が液晶表示装置１００と等しい場合、液晶表示装置５００における画素Ｐの面積Ｓβは液晶表示装置１００における画素Ｐの面積Ｓαと略等しい。
【００４０】
また、液晶表示装置１００における１画素内の各サブ画素Ｒ、Ｇ、Ｂ、Ｙの開口面積ＳR、ＳG、ＳB、ＳYの和は液晶表示装置５００における１画素内の各サブ画素ｒ、ｇ、ｂの開口面積Ｓr、Ｓg、Ｓbの和と略等しい。これは、ＳR＋ＳG＋ＳB＋ＳY＝Ｓr＋Ｓg＋Ｓbと表される。このため、液晶表示装置１００における１画素内の遮光領域（例えば、ブラックマトリクス等で覆われている領域）の面積は液晶表示装置５００における１画素内の遮光領域の面積と略等しい。例えば、液晶表示装置１００、５００において、ブラックマトリクスの幅が一定の場合、厳密には、液晶表示装置１００における１画素内の遮光領域の面積は液晶表示装置５００における１画素内の遮光領域の面積よりも大きいが、液晶表示装置１００、５００において遮光領域の面積の和が開口面積全体の和よりも充分小さいと、液晶表示装置１００、５００における遮光領域の面積の和の違いを無視しても実質的な問題が生じず、液晶表示装置１００における１画素内の開口面積の和は液晶表示装置５００における１画素内の開口面積の和と略等しいといえる。あるいは、液晶表示装置１００におけるブラックマトリクスの幅が液晶表示装置５００におけるブラックマトリクスの幅よりも狭くてもよい。
【００４１】
また、液晶表示装置５００において３つのサブ画素（すなわち、赤サブ画素ｒ、緑サブ画素ｇおよび青サブ画素ｂ）の開口面積Ｓr、Ｓg、Ｓbは互いに略等しい。このため、Ｓr＝Ｓg＝Ｓb＝（ＳR＋ＳG＋ＳB＋ＳY）／３と表される。
【００４２】
本実施形態の液晶表示装置１００では、赤、緑、青および黄サブ画素Ｒ、Ｇ、ＢおよびＹの開口面積ＳR、ＳG、ＳB、ＳY、および、赤、緑、青および黄カラーフィルタＣＲ、ＣＧ、ＣＢ、ＣＹの透過率ＴR、ＴG、ＴB、ＴYが上記不等式（Ａ）を満たすことにより、液晶表示装置１００におけるカラーフィルタ層２８０の平均透過率Ｔαは液晶表示装置５００におけるカラーフィルタ層６８０の平均透過率Ｔβよりも高くなるように設定される。以下に、その詳細を具体的に説明する。
【００４３】
上述したように、平均透過率Ｔαは（ＳR×ＴR＋ＳG×ＴG＋ＳB×ＴB＋ＳY×ＴY）／Ｓαと表され、また、平均透過率Ｔβは（Ｓr×Ｔr＋Ｓg×Ｔg＋Ｓb×Ｔb）／Ｓβと表されるため、平均透過率Ｔαが平均透過率Ｔβよりも高い場合、上述の関係は、
（ＳR×ＴR＋ＳG×ＴG＋ＳB×ＴB＋ＳY×ＴY）／Ｓα  ＞  （Ｓr×Ｔr＋Ｓg×Ｔg＋Ｓb×Ｔb）／Ｓβ
と表される。
【００４４】
また、上述したように、ＴR＝Ｔr、ＴG＝Ｔg、ＴB＝Ｔb、Ｓr＝Ｓg＝Ｓb＝（ＳR＋ＳG＋ＳB＋ＳY）／３、Ｓα＝Ｓβであるため、上記不等式は、
（ＳR×ＴR＋ＳG×ＴG＋ＳB×ＴB＋ＳY×ＴY）  ＞    （ＳR＋ＳG＋ＳB＋ＳY）×（ＴR＋ＴG＋ＴB）／３
と変形可能であり、これは、
ＴY    ＞    ［（ＳR＋ＳG＋ＳB＋ＳY）（ＴR＋ＴG＋ＴB）−３（ＳR×ＴR＋ＳG×ＴG＋ＳB×ＴB）］／３ＳY 
と表される。以上から、黄カラーフィルタＣＹの透過率ＴYが、上記関係を満たすことにより、カラーフィルタ層２８０の透過率は、同様の材料から形成されたカラーフィルタ層６８０の透過率よりも高くなり、高輝度の表示を簡便に実現することができる。
【００４５】
なお、上述したように、本実施形態の液晶表示装置１００では、赤、緑、青および黄サブ画素の開口面積ＳR、ＳG、ＳB、ＳYは互いに略等しい。この場合、上記不等式（Ａ）は、
ＴY  ＞  （ＴR＋ＴG＋ＴB）／３    ・・・（Ｂ）
と表される。このため、本実施形態の液晶表示装置１００では、黄カラーフィルタＣＹの透過率ＴYが、赤、緑および青カラーフィルタＣＲ、ＣＧ、ＣＢの透過率ＴR、ＴG、ＴBの相加平均（すなわち、（ＴR＋ＴG＋ＴB）／３）よりも高いことにより、カラーフィルタ層２８０の透過率は、同様の材料から形成されたカラーフィルタ層６８０の透過率よりも高くなり、高輝度の表示を簡便に実現することができる。なお、液晶表示装置１００において４つのサブ画素（すなわち、赤サブ画素Ｒ、緑サブ画素Ｇ、青サブ画素Ｂおよび黄サブ画素Ｙの開口面積ＳR、ＳG、ＳB、ＳYが互いに略等しい場合、液晶表示装置５００における各サブ画素ｒ、ｇ、ｂの開口面積Ｓr、Ｓg、Ｓbは液晶表示装置１００における各サブ画素Ｒ、Ｇ、Ｂ、Ｙの開口面積ＳR、ＳG、ＳB、ＳYよりも大きく、サブ画素の開口面積の比は、ＳR：ＳG：ＳB：ＳY：Ｓr：Ｓg：Ｓb＝３：３：３：３：４：４：４と表される。
【００４６】
図５（ｂ）に、液晶表示装置１００および液晶表示装置５００のＮＴＳＣ比およびカラーフィルタ層２８０、６８０の透過率の関係を表したグラフを示す。上述したように、３原色表示装置（ＲＧＢ）においてカラーフィルタの顔料濃度を増加させてＮＴＳＣ比を増大させると、透過率が低下する。
【００４７】
本実施形態の液晶表示装置１００では、黄サブ画素Ｙの色度が赤、緑および青サブ画素Ｒ、Ｇ、Ｂの色度を結ぶ三角形よりも外側に位置するとともに、赤サブ画素Ｒ、緑サブ画素Ｇ、青サブ画素Ｂおよび黄サブ画素Ｙのそれぞれの開口面積ＳR、ＳG、ＳB、ＳY、ならびに、赤カラーフィルタＣＲ、緑カラーフィルタＣＧ、青カラーフィルタＣＢおよび黄カラーフィルタＣＹのそれぞれの透過率ＴR、ＴG、ＴB、ＴYが上記不等式（Ａ）を満たすため、液晶表示装置１００におけるＮＴＳＣ比およびカラーフィルタ層２８０の透過率はいずれも液晶表示装置５００におけるＮＴＳＣ比およびカラーフィルタ層６８０の透過率よりも高い。このため、液晶表示装置１００は広い色再現範囲で高輝度の表示を行うことができる。
【００４８】
ここで、表１〜表４を参照して比較例の液晶表示装置５００に対する本実施形態の液晶表示装置１００の利点を具体的に説明する。
【００４９】
表１に、比較例の液晶表示装置５００における赤、緑および青サブ画素ｒ、ｇ、ｂの色度ｘ、ｙ、ｕ’、ｖ’および対応するカラーフィルタＣｒ、Ｃｇ、Ｃｂの透過率Ｔを示す。
【００５０】
【表１】
2011040370.tif 000003
【００５１】
また、表２に、比較例の液晶表示装置５００において黄色および白色を表示したときの色度ｘ、ｙ、ｕ’、ｖ’を示す。
【００５２】
【表２】
2011040370.tif 000004
なお、ここで、黄色は青サブ画素を最低輝度にするとともに赤および緑サブ画素を最高輝度にすることによって表示される。また、白色は全てのサブ画素を最高輝度にすることによって表示される。液晶表示装置５００の色温度は３２０００Ｋである。
【００５３】
このような比較例の液晶表示装置５００においてカラーフィルタ層６８０の透過率は３１．９％である。また、比較例の液晶表示装置５００では、ＣＩＥ  １９３１のＮＴＳＣ比は８０．０％であり、ＣＩＥ  １９７６のＮＴＳＣ比は８６．７％である。
【００５４】
次に、表３および表４を参照して本実施形態の液晶表示装置１００を説明する。表３に、本実施形態の液晶表示装置１００における赤、緑、青および黄サブ画素の色度ｘ、ｙ、ｕ’、ｖ’および対応するカラーフィルタの透過率Ｔを示す。
【００５５】
【表３】
2011040370.tif 000005
【００５６】
また、表４に、本実施形態の液晶表示装置１００において黄色および白色を表示したときの色度ｘ、ｙ、ｕ’、ｖ’を示す。
【００５７】
【表４】
2011040370.tif 000006
なお、ここで、黄色は青サブ画素を最低輝度にするとともに赤、緑および黄サブ画素を最高輝度にすることによって表示される。また、白色は全てのサブ画素を最高輝度にすることによって表示される。液晶表示装置１００の色温度は７８００Ｋである。
【００５８】
液晶表示装置１００では、赤、緑および青サブ画素Ｒ、Ｇ、Ｂの色度は液晶表示装置５００と同様であり、液晶表示装置１００における黄サブ画素Ｙの色度は赤、緑および青サブ画素Ｒ、Ｇ、Ｂを結ぶ三角形よりも外側に位置している。このため、液晶表示装置１００の色再現範囲は液晶表示装置５００よりも広い。また、表３から理解されるように、赤、緑、青および黄カラーフィルタＣＲ、ＣＧ、ＣＢ、ＣＹの透過率ＴR、ＴG、ＴB、ＴYは上記不等式（Ｂ）を満たしており、カラーフィルタ層２８０の透過率はカラーフィルタ層６８０の透過率よりも高い。液晶表示装置１００におけるカラーフィルタ層２８０の透過率は４４．７％である。
【００５９】
なお、上述した説明では、赤サブ画素Ｒ、緑サブ画素Ｇ、青サブ画素Ｂおよび黄サブ画素Ｙは行方向に配列されていたが、本発明はこれに限定されない。例えば、図６に示すように、赤サブ画素Ｒ、緑サブ画素Ｇ、青サブ画素Ｂおよび黄サブ画素Ｙは２行２列のマトリクス状に配列されてもよい。
【００６０】
また、上述した説明では、赤、緑、青および黄サブ画素Ｒ、Ｇ、Ｂ、Ｙの開口面積ＳR、ＳG、ＳB、ＳYはいずれも等しかったが、本発明はこれに限定されない。赤、緑、青および黄サブ画素Ｒ、Ｇ、Ｂ、Ｙの開口面積ＳR、ＳG、ＳB、ＳYの比率は異なってもよい。
【００６１】
上述したように、画素Ｐの面積が等しい場合、液晶表示装置１００における赤サブ画素Ｒの開口面積ＳRは比較例の液晶表示装置５００における赤サブ画素ｒの開口面積Ｓrよりも小さい。このため、液晶表示装置１００では明度の高い赤を充分に表現できないことがある。
【００６２】
また、液晶パネル２００では、液晶パネル６００と比べて黄サブ画素Ｙが追加されているため、液晶パネル２００とバックライト７００とを組み合わせて用いると、液晶表示装置の色温度が低下してしまう。また、このような液晶表示装置の色温度の低下を抑制するために、単純にバックライト３００からの出射光の色温度をバックライト７００からの出射光の色温度よりも高くすると、バックライト３００の発光効率が低下することになる。
【００６３】
図７（ａ）に、液晶表示装置１００Ａの模式図を示す。液晶表示装置１００Ａは液晶パネル２００Ａと、バックライト３００Ａとを備えている。液晶表示装置１００Ａは、赤、緑、青および黄サブ画素Ｒ、Ｇ、Ｂ、Ｙの開口面積ＳR、ＳG、ＳB、ＳYが等しくない点を除いて、上述した液晶表示装置１００と同様の構成を有しており、冗長を避けるために重複する説明を省略する。なお、液晶パネル２００Ａにおけるカラーフィルタ層２８０Ａの透過率は液晶パネル２００におけるカラーフィルタ層２８０の透過率とは異なるが、バックライト３００Ａの出射スペクトルはバックライト３００の出射スペクトルと異なる。
【００６４】
図７（ｂ）に、液晶パネル２００Ａの模式図を示す。液晶パネル２００Ａにおいて赤および青サブ画素Ｒ、Ｂの開口面積ＳR、ＳBは緑および黄サブ画素Ｇ、Ｙの開口面積ＳG、ＳYよりも大きい。このように、赤サブ画素Ｒの開口面積ＳRが比較的大きいことにより、明度の高い赤色を充分に表現することができる。また、青サブ画素Ｂの開口面積ＳBが比較的大きいことにより、バックライト３００Ａの発光効率の低下を抑制できる。
【００６５】
具体的には、赤、緑、青および黄サブ画素Ｒ、Ｇ、Ｂ、Ｙの列方向の長さはいずれも等しく、赤、緑、青および黄サブ画素Ｒ、Ｇ、Ｂ、Ｙの列方向の長さの比は１：１：１：１であるのに対して、赤および青サブ画素Ｒ、Ｂの行方向の長さは緑および黄サブ画素Ｇ、Ｙの行方向の長さよりも長い。例えば、赤、緑、青および黄サブ画素Ｒ、Ｇ、Ｂ、Ｙの行方向の長さの比は１．６：１．０：１．６：１．０である。このため、赤、緑、青および黄サブ画素Ｒ、Ｇ、Ｂ、Ｙの開口面積ＳR、ＳG、ＳB、ＳYの比は１．６：１．０：１．６：１．０である。
【００６６】
図８に、バックライト３００Ａの出射スペクトルを示す。バックライト３００Ａは、青発光、赤・緑蛍光タイプのＬＥＤを含んでおり、出射スペクトルにおいて、青に対応する放射強度のピークは緑および赤に対応する放射強度よりも高く、緑に対応する放射強度のピークは赤に対応する放射強度よりも高い。
【００６７】
ここで、表５および表６を参照して本実施形態の液晶表示装置１００Ａを説明する。表５に、本実施形態の液晶表示装置１００Ａにおける赤、緑、青および黄サブ画素Ｒ、Ｇ、Ｂ、Ｙの開口比率、色度ｘ、ｙ、ｕ’、ｖ’および対応するカラーフィルタＣＲ、ＣＧ、ＣＢ、ＣＹの透過率Ｔを示す。
【００６８】
【表５】
2011040370.tif 000007
【００６９】
表６に、本実施形態の液晶表示装置１００Ａにおいて黄色および白色を表示したときの色度ｘ、ｙ、ｕ’、ｖ’を示す。
【００７０】
【表６】
2011040370.tif 000008
なお、ここで、黄色は青サブ画素を最低輝度にするとともに赤、緑および黄サブ画素を最高輝度にすることによって表示される。また、白色は全てのサブ画素を最高輝度にすることによって表示される。液晶表示装置１００Ａの色温度は１１６００Ｋである。
【００７１】
図９に、液晶表示装置１００Ａと比較例の液晶表示装置５００との色再現範囲を比較した色度図を示す。図９（ａ）において、Ｒ、Ｇ、ＢおよびＹは、それぞれ、液晶表示装置１００Ａにおける赤、緑、青および黄サブ画素Ｒ、Ｇ、Ｂ、Ｙの色度を示し、ｒ、ｇおよびｂは、それぞれ、液晶表示装置５００における赤、緑および青サブ画素ｒ、ｇ、ｂの色度を示す。図９（ａ）から理解されるように、液晶表示装置１００Ａにおける赤、緑、青サブ画素Ｒ、Ｇ、Ｂの色度は液晶表示装置５００における赤、緑、青サブ画素ｒ、ｇ、ｂの色度と略等しい。
【００７２】
図９（ｂ）に、黄サブ画素Ｙの色度の近傍を拡大した一部拡大図を示す。図９（ａ）および図９（ｂ）から理解されるように、黄サブ画素Ｙの色度は、赤、緑および青サブ画素Ｒ、Ｇ、Ｂの色度を結ぶ三角形よりも外側に位置しており、液晶表示装置１００Ａの色再現範囲は比較例の液晶表示装置５００よりも広い。上述したように比較例の液晶表示装置５００においてＣＩＥ  １９３１のＮＴＳＣ比は８０．０％であり、ＣＩＥ  １９７６のＮＴＳＣ比は８６．７％であるが、液晶表示装置１００Ａでは、ＣＩＥ  １９３１のＮＴＳＣ比は８１．７％であり、ＣＩＥ  １９７６のＮＴＳＣ比は８８．８％である。このように、液晶表示装置１００ＡのＮＴＳＣ比は液晶表示装置５００よりも高い。
【００７３】
また、表５から理解されるように、赤、緑、青および黄サブ画素Ｒ、Ｇ、Ｂ、Ｙの開口面積ＳR、ＳG、ＳB、ＳYおよび赤、緑、青および黄カラーフィルタＣＲ、ＣＧ、ＣＢ、ＣＹの透過率ＴR、ＴG、ＴB、ＴYが上記不等式（Ａ）を満たすことにより、カラーフィルタ層２８０Ａの透過率はカラーフィルタ層６８０の透過率よりも高い。上述したように比較例の液晶表示装置５００においてカラーフィルタ層６８０の透過率は３１．９％であるが、液晶表示装置１００Ａにおけるラーフィルタ層２８０Ａの透過率は３８．３％である。
【００７４】
なお、上述した説明では、赤サブ画素Ｒ、緑サブ画素Ｇ、青サブ画素Ｂおよび黄サブ画素Ｙが行方向に配列されていたが、本発明はこれに限定されない。例えば、図１０に示すように、赤サブ画素Ｒ、緑サブ画素Ｇ、青サブ画素Ｂおよび黄サブ画素Ｙは２行２列のマトリクス状に配列されてもよい。この場合、開口面積の大きいサブ画素が列方向に沿って配列し、また、開口面積の小さいサブ画素が列方向に沿って配列してもよい。具体的には、赤サブ画素Ｒおよび青サブ画素Ｂが列方向に配列し、緑サブ画素Ｇおよび黄サブ画素Ｙが列方向に配列してもよい。
【００７５】
例えば、液晶パネル２００Ａにおいて赤、緑、青および黄サブ画素Ｒ、Ｇ、Ｂ、Ｙの列方向の長さはいずれも等しく、赤、緑、青および黄サブ画素Ｒ、Ｇ、Ｂ、Ｙの列方向の長さの比は１：１：１：１であるのに対して、赤および青サブ画素Ｒ、Ｂの行方向の長さは緑および黄サブ画素Ｇ、Ｙの行方向の長さよりも長い。例えば、赤、緑、青および黄サブ画素Ｒ、Ｇ、Ｂ、Ｙの行方向の長さの比は１．６：１．０：１．６：１．０であり、この場合、開口面積ＳR、ＳG、ＳB、ＳYの比は１．６：１．０：１．６：１．０である。
【００７６】
なお、ここでは、赤および青サブ画素Ｒ、Ｂの両方の開口面積ＳR、ＳBが、緑および黄サブ画素Ｇ、Ｙの開口面積ＳG、ＳYよりも大きかったが、本発明はこれに限定されない。開口面積ＳRが開口面積ＳG、ＳB、ＳYよりも大きくてもよい。あるいは、開口面積ＳBが開口面積ＳR、ＳG、ＳYよりも大きくてもよい。
【００７７】
なお、液晶表示装置１００、１００Ａにおける液晶パネル２００、２００Ａは例えば４ＤＲＴＮモードである。図１（ａ）および図７（ａ）に示した第１配向膜２２６および第２配向膜２４６は、それぞれ、垂直配向膜の表面に対して、液晶分子のプレチルト角が９０°未満となるように処理されたものであり、プレチルト角は、第１配向膜２２６および第２配向膜２４６の主面と、プレチルト方向に規定された液晶分子の長軸とのなす角度である。第１配向膜２２６および第２配向膜２４６により、それぞれ、液晶分子のプレチルト方向が規定される。このような配向膜を形成する方法としては、ラビング処理を行う方法、光配向処理を行う方法、配向膜の下地に微細な構造を予め形成しておきその微細構造を配向膜の表面に反映させる方法、あるいは、ＳｉＯなどの無機物質を斜め蒸着することによって表面に微細な構造を有する配向膜を形成する方法などが知られている。ただし、量産性の観点からは、ラビング処理または光配向処理が好ましい。特に、光配向処理は、非接触で配向処理を行うので、ラビング処理のように摩擦による静電気の発生が無く、歩留まりを向上させることができる。
【００７８】
液晶層２６０は垂直配向型であり、負の誘電率異方性の液晶分子を有している。第１配向膜２２６および第２配向膜２４６により、その近傍の液晶分子は第１、第２配向膜２２６、２４６の主面の法線方向からわずかに傾いている。プレチルト角は、例えば８５°以上９０°未満である。なお、ここでは、液晶層２６０はカイラル剤を有しておらず、液晶層２６０に電圧を印加すると、液晶層２６０内の液晶分子は配向膜２２６、２４６の配向規制力に従ってツイスト配向をとる。ただし、必要に応じて液晶層２６０にカイラル剤が添加されていてもよい。液晶層２６０はクロスニコル配置された偏光板と組み合わされてノーマリーブラックモードの表示を行う。
【００７９】
以下、図１１を参照して、１つの画素における、第１配向膜２２６および第２配向膜２４６に規定された液晶分子のプレチルト方向、および、各液晶ドメインの中央における液晶分子の配向方向を説明する。
【００８０】
図１１（ａ）には、背面基板２２０の第１配向膜２２６に規定された液晶分子のプレチルト方向ＰＡ１およびＰＡ２を示しており、図１１（ｂ）には、前面基板２４０の第２配向膜２４６に規定された液晶分子のプレチルト方向ＰＢ１およびＰＢ２を示している。図１１（ｃ）には、液晶層２６０に電圧を印加したときの液晶ドメインＡ〜Ｄの中央の液晶分子の配向方向、および、配向乱れによって暗く見える領域（ドメインライン）ＤＬ１〜ＤＬ４を示している。なお、ドメインラインＤＬ１〜ＤＬ４は、いわゆるディスクリネーションラインではない。
【００８１】
図１１（ａ）〜図１１（ｃ）は、観察者側から見たときの液晶分子の配向方向を模式的に示している。図１１（ａ）〜図１１（ｃ）では、円柱状の液晶分子の端部（ほぼ円形部分）が観察者に向かうようにチルトしていることを示しており、図１１（ａ）〜図１１（ｃ）において、第１、第２配向膜２２６、２４６の主面の法線方向に対する液晶分子の傾きはわずかである（すなわち、チルト角は比較的大きい）。上述したように、図１１（ａ）および図１１（ｂ）におけるプレチルト角は、例えば、８５°以上９０°未満である。
【００８２】
図１１（ａ）に示すように、第１配向膜２２６は、第１配向領域ＯＲ１と第２配向領域ＯＲ２とを有している。第１配向領域ＯＲ１に規定された液晶分子は、第１配向膜２２６の主面の法線方向に対して−ｙ方向に傾いており、第１配向膜２２６の第２配向領域ＯＲ２に規定された液晶分子は、第１配向膜２２６の主面の法線方向に対して＋ｙ方向に傾いている。
【００８３】
また、図１１（ｂ）に示すように、第２配向膜２４６は、第３配向領域ＯＲ３と第４配向領域ＯＲ４とを有している。第３配向領域ＯＲ３に規定された液晶分子は第２配向膜２４６の主面の法線方向に対して＋ｘ方向に傾いており、この液晶分子の−ｘ方向の端部が前面側に向いている。また、第２配向膜２４６の第４配向領域ＯＲ４に規定された液晶分子は第２配向膜２４６の主面の法線方向に対して−ｘ方向に傾いており、この液晶分子の＋ｘ方向の端部が前面側に向いている。
【００８４】
また、光配向処理を行う場合、第１、第２配向膜２２６、２４６に対して紫外線を斜めから照射する。角度の点で厳密に等しいわけではないが、液晶分子は、紫外線の照射方向と同様の方向に傾く。このため、ＰＤ１〜ＰＤ４で示した矢印の方向から紫外線を斜め照射することにより、液晶分子は第１、第２配向膜２２６、２４６の主面の法線方向に対して斜めに配向される。
【００８５】
図１１（ｃ）に示すように、液晶層２６０には４つの液晶ドメインＡ、Ｂ、ＣおよびＤが形成される。液晶層２６０のうち、第１配向膜２２６の第１配向領域ＯＲ１と第２配向膜２４６の第３配向領域ＯＲ３とに挟まれる部分が液晶ドメインＡとなり、第１配向膜２２６の第１配向領域ＯＲ１と第２配向膜２４６の第４配向領域ＯＲ４とに挟まれる部分が液晶ドメインＢとなり、第１配向膜２２６の第２配向領域ＯＲ２と第２配向膜２４６の第４配向領域ＯＲ４とに挟まれる部分が液晶ドメインＣとなり、第１配向膜２２６の第２配向領域ＯＲ２と第２配向膜２４６の第３配向領域ＯＲ３とに挟まれる部分が液晶ドメインＤとなる。
【００８６】
液晶ドメインＡ〜Ｄの中央の液晶分子の配向方向は、第１配向膜２２６による液晶分子のプレチルト方向と第２配向膜２４６による液晶分子のプレチルト方向との中間の方向となる。本明細書において、液晶ドメインの中央における液晶分子の配向方向であって、液晶分子の長軸に沿って背面から前面に向かう方向の方位角成分を基準配向方向とよぶ。基準配向方向は、対応する液晶ドメインを特徴付けており、各液晶ドメインの視野角依存性に支配的な影響を与える。ここで、表示画面（紙面）の水平方向（左右方向）を方位角方向の基準とし、左回りに正をとる（表示面を時計の文字盤に例えると３時方向を方位角０°として、反時計回りを正とする）と、４つの液晶ドメインＡ〜Ｄの基準配向方向は任意の２つの方向の差が９０°の整数倍に略等しい４つの方向となるように設定されている。具体的には、液晶ドメインＡ、Ｂ、Ｃ、Ｄの方位角は、それぞれ、２２５°、３１５°、４５°、１３５°である。このように、対称的な基準配向方向が実現されているため、視野角特性が均一化され、良好な表示を得ることができる。
【００８７】
なお、上述した説明では、液晶ドメインＡ、Ｂ、Ｃ、Ｄの方位角は、それぞれ、２２５°、３１５°、４５°、１３５°であったが、本発明はこれに限定されない。４つの液晶ドメインＡ〜Ｄの基準配向方向は任意の２つの方向の差が９０°の整数倍に略等しい４つの方向となるように設定されていればよく、液晶ドメインＡ、Ｂ、Ｃ、Ｄの方位角は、それぞれ、別の方位を示してもよい。
【００８８】
また、上述した説明では、特に、液晶表示装置１００、１００Ａの一例として４ＤＲＴＮモードを説明したが、本発明はこれに限定されない。液晶表示装置１００、１００Ａは、他のモードの液晶表示装置であってもよい。
【００８９】
また、上述した説明では、バックライト３００、３００ＡとしてＬＥＤが用いられたが、本発明はこれに限定されない。バックライト３００、３００Ａとして冷陰極管（Ｃｏｌｄ  Ｃａｔｈｏｄｅ  Ｆｌｕｏｒｅｓｃｅｎｔ  Ｌａｍｐ：ＣＣＦＬ）を用いてもよい。
【００９０】
また、上述した説明では、カラーフィルタ層２８０は前面基板２４０に設けられていたが、本発明はこれに限定されない。カラーフィルタ層２８０は背面基板２２０に設けられてもよい。
【００９１】
また、上述した説明では、液晶パネル２００、２００Ａは透過型であったが、本発明はこれに限定されない。液晶パネル２００、２００Ａは反射型であってもよい。反射型の場合、外部から入射した光はカラーフィルタ層２８０を２回通過することになるため、赤、緑、青および黄カラーフィルタＣＲ、ＣＧ、ＣＢ、ＣＹの透過率ＴR、ＴG、ＴB、ＴYは、赤、緑、青および黄カラーフィルタＣＲ、ＣＧ、ＣＢ、ＣＹを１回通過する場合の透過率の２乗と表すことができる。例えば、カラーフィルタを１回通過する場合の透過率が４０％である場合、反射型における透過率は１６％となる。
【００９２】
あるいは、液晶パネル２００、２００Ａにおいて各サブ画素Ｒ、Ｇ、Ｂ、Ｙには透過領域および反射領域の両方が設けられてもよく、液晶パネル２００、２００Ａは透過反射両用型であってもよい。透過反射両用型の場合、赤、緑、青および黄カラーフィルタＣＲ、ＣＧ、ＣＢ、ＣＹの透過率ＴR、ＴG、ＴB、ＴYは、それぞれ、透過領域の面積と透過領域における透過率との積と反射領域の面積と反射領域における透過率との積との和で表される。
【産業上の利用可能性】
【００９３】
本発明による液晶表示装置は、色再現範囲を拡大するとともにカラーフィルタ層の透過率の低下を抑制することができる。
【符号の説明】
【００９４】
１００  液晶表示装置
２００  液晶パネル
２２０  背面基板
２２２  絶縁基板
２２４  画素電極
２２６  第１配向膜
２４０  前面基板
２４２  絶縁基板
２４４  対向電極
２４６  第２配向膜
２６０  液晶層
２８０  カラーフィルタ層
３００  バックライト
【図１】
2011040370.tif 000009
【図２】
2011040370.tif 000010
【図３】
2011040370.tif 000011
【図４】
2011040370.tif 000012
【図５】
2011040370.tif 000013
【図６】
2011040370.tif 000014
【図７】
2011040370.tif 000015
【図８】
2011040370.tif 000016
【図９】
2011040370.tif 000017
【図１０】
2011040370.tif 000018
【図１１】
2011040370.tif 000019
【国際調査報告】
2011040370.tif 000020
2011040370.tif 000021